(57)【特許請求の範囲】
【請求項１】
絶縁操作棒の先端部に設けた一対の開閉する把持腕に取り付けでき、電線の末端縁から被覆を所定の剥離長で剥離する、一組で構成される間接活線工事用アダプタであって、
一対の前記把持腕から遠心方向に突出する把持爪が挿入可能な凹部を底面に開口したブロック状のアダプタ本体と、
前記アダプタ本体に取り付け、前記把持爪の把持面と反対面から当該把持爪を固定する係止手段と、
一方の前記アダプタ本体に固定される一片、及び他方の前記アダプタ本体に向かって延出し、前記電線の被覆を外周方向から切り込み可能な刃先を先端部に形成した他片を有するＬ字状の切断具と、
他方の前記アダプタ本体に着脱自在に固定され、前記被覆を外周方向から導入可能に半円弧状に開口した第１切り欠き溝を形成すると共に、前記電線の末端縁が当接可能な底部を前記第１切り欠き溝の端部に形成した半円筒状のストッパーと、を備え、
一方の前記アダプタ本体は、前記被覆を外周方向から導入可能に半円弧状に開口した第２切り欠き溝を対向面に有し、
他方の前記アダプタ本体は、前記ストッパーを外周方向から導入可能に半円弧状に開口した第３切り欠き溝を対向面に有し、
一対の前記把持腕を閉じて、前記第１切り欠き溝と前記第２切り欠き溝で前記被覆を挟持し、前記絶縁操作棒をその軸回りに３６０度回転することで、前記切断具が前記被覆の全周を切断可能な、間接活線工事用アダプタ。
【請求項２】
前記ストッパーは、前記第３切り欠き溝に対して、その軸方向にスライド自在に固定されている請求項１記載の間接活線工事用アダプタ。
【請求項３】
前記ストッパーは、前記被覆の外周が滑動容易な滑動面を前記第１切り欠き溝の内壁に形成している、請求項１又は２記載の間接活線工事用アダプタ。
【請求項４】
前記係止手段は、外部から操作可能な係合ピンを備え、
前記把持爪は、前記係合ピンの先端部が進入する窪みを当該把持爪の把持面と反対面に設けている請求項１から３のいずれかに記載の間接活線工事用アダプタ。
【請求項５】
一方の前記把持腕は、基端部が固定された固定腕からなり、
他方の前記把持腕は、一方の前記把持腕の基端部に設けた回動軸を中心に回動する可動腕からなり、
前記絶縁操作棒は、
一方の前記把持腕を先端部に設けた長尺の操作棒と、
前記操作棒に沿って配置され、先端部が他方の前記把持腕と回動可能に連結している作動棒と、を備えている請求項１から４のいずれかに記載の間接活線工事用アダプタ。
【発明の詳細な説明】
【技術分野】
【０００１】
本発明は、間接活線工事用アダプタに関する。特に、絶縁操作棒などの間接活線工具の先端部に設けた一対の開閉する把持腕に取り付け、高圧引下線などの被覆を剥離できる間接活線工事用アダプタの構造に関する。
【背景技術】
【０００２】
高圧配電線を無停電で配電工事を行う活線作業には、直接活線工法と間接活線工法の二通りがある。直接活線工法は、作業者が高圧ゴム手袋などの保護具を着用して、通電中の高圧配電線に直接触れて配電工事を行う。一方、間接活線工法は、作業者が絶縁操作棒（ホットスティック）などを用いて、通電中の高圧配電線に直接触れることなく配電工事を行うことができる。
【０００３】
一般に、絶縁操作棒は、長尺の操作棒とこの操作棒の先端部に取り付けた配電作業用工具（以下、先端工具という）で構成している。そして、絶縁操作棒は、高圧配電線を把持、又は切断するなど、作業目的に対応して、先端工具を交換できるように構成している。
【０００４】
このような遠隔に配置された高圧配電線を把持する絶縁操作棒としては、絶縁操作棒の先端部に設けた一対の把持腕を手許の操作で開閉できる遠隔把持用絶縁操作棒、いわゆる「絶縁ヤットコ」が知られている。
【０００５】
上述した絶縁ヤットコを用いて、電線を把持する作業の他に、一組の開閉するアダプタを一対の把持腕に取り付け、高圧配電線から分岐する高圧引下線などの被覆を剥離できる間接活線工事用アダプタが開示されている（例えば、特許文献１参照）。
【０００６】
特許文献１による間接活線工事用アダプタは、一方のアダプタが電線の中心部に向かい、電線の外周方向から被覆を切断可能な円板状の第１切刃を備え、他方のアダプタが電線の中心部に向かい、電線の外周方向から被覆を切断可能な一対の円板状の第２切刃を備え、電線又は絶縁操作棒のいずれか一方を軸回りに回転することで、被覆を切断できる、としている。
【０００７】
又、絶縁ヤットコを用いて、電線を把持する作業の他に、一対の開閉するアダプタを一対の把持腕に取り付け、高圧配電線から分岐する高圧引下線などの被覆を剥離できる間接活線工事用アダプタが開示されている（例えば、特許文献２参照）。
【０００８】
特許文献２による間接活線工事用アダプタは、一対の開閉するアダプタが、互いに近接して電線の被覆を切断する半円形状の刃先を設けた切断刃を先端部に有すると共に、切断刃の下部に配置された分割ブロックを有し、一対の分割ブロックは、それらの対向面が互いに当接すると、電線の端末を挿入可能な収装穴を有し、電線の端末縁が収装穴の底面に当接することで、被覆の切断長を規定している。
【先行技術文献】
【特許文献】
【０００９】
【特許文献１】特開２００９−２０１２４１号公報
【特許文献２】特開２００８−１２５２９３号公報
【発明の概要】
【発明が解決しようとする課題】
【００１０】
しかし、特許文献１による間接活線工事用アダプタは、一組の開閉するアダプタの間に筒状の案内部材を配置している。そして、この案内部材の内部に電線の端末を挿入し、電線の被覆を剥離している。したがって、剥離された被覆が案内部材の内部に残り、剥離された被覆を回収することが容易でないという問題がある。電線から剥離された被覆を容易に回収できる間接活線工事用アダプタが求められている。
【００１１】
又、特許文献２による間接活線工事用アダプタは、電線から剥離された被覆を容易に回収できるが、収装穴の底面までの距離で被覆の切断長が規定されている。このため、特許文献２による間接活線工事用アダプタは、被覆の切断長を可変することが困難であるという問題がある。電線の被覆の切断長を可変することが容易な間接活線工事用アダプタが求められている。そして、以上のことが本発明の課題といってよい。
【００１２】
本発明は、このような課題に鑑みてなされたものであり、絶縁操作棒などの間接活線工具の先端部に設けた一対の開閉する把持腕に取り付けできる間接活線工事用アダプタであって、電線から剥離された被覆を容易に回収でき、電線の被覆の切断長を可変することが容易な間接活線工事用アダプタを提供することを目的とする。
【課題を解決するための手段】
【００１３】
本発明者は、一組の間接活線工事用アダプタを絶縁操作棒の先端部に設けた一対の開閉する把持腕に取り付け、これらの間接活線工事用アダプタは、把持腕から遠心方向に突出する把持爪に固定したブロック状のアダプタ本体を備え、一方のアダプタ本体には、電線の被覆を外周方向から切り込み可能な切断具を設け、他方のアダプタ本体には、被覆を外周方向から導入可能に半円弧状に開口した第１切り欠き溝を形成したストッパーを設け、一対の把持腕を閉じて、第１切り欠き溝と一方のアダプタ本体に設けた第２切り欠き溝で被覆を挟持し、絶縁操作棒をその軸回りに３６０度回転することで、切断具が被覆の全周を切断できることを見出し、これに基づいて、以下のような新たな間接活線工事用アダプタを発明するに至った。
【００１４】
（１）本発明による間接活線工事用アダプタは、絶縁操作棒の先端部に設けた一対の開閉する把持腕に取り付けでき、電線の末端縁から被覆を所定の剥離長で剥離する、一組で構成される間接活線工事用アダプタであって、一対の前記把持腕から遠心方向に突出する把持爪が挿入可能な凹部を底面に開口したブロック状のアダプタ本体と、前記アダプタ本体に取り付け、前記把持爪の把持面と反対面から当該把持爪を固定する係止手段と、一方の前記アダプタ本体に固定される一片、及び他方の前記アダプタ本体に向かって延出し、前記電線の被覆を外周方向から切り込み可能な刃先を先端部に形成した他片を有するＬ字状の切断具と、他方の前記アダプタ本体に着脱自在に固定され、前記被覆を外周方向から導入可能に半円弧状に開口した第１切り欠き溝を形成すると共に、前記電線の末端縁が当接可能な底部を前記第１切り欠き溝の端部に形成した半円筒状のストッパーと、を備え、一方の前記アダプタ本体は、前記被覆を外周方向から導入可能に半円弧状に開口した第２切り欠き溝を対向面に有し、他方の前記アダプタ本体は、前記ストッパーを外周方向から導入可能に半円弧状に開口した第３切り欠き溝を対向面に有し、一対の前記把持腕を閉じて、前記第１切り欠き溝と前記第２切り欠き溝で前記被覆を挟持し、前記絶縁操作棒をその軸回りに３６０度回転することで、前記切断具が前記被覆の全周を切断できる。
【００１５】
本発明による間接活線工事用アダプタは、一対の把持腕を閉じて、第１切り欠き溝と第２切り欠き溝で被覆を挟持し、絶縁操作棒をその軸回りに３６０度回転することで、切断具が被覆の全周を切断できる。一対の把持腕を閉じた状態で、絶縁操作棒を引き下げることで、電線の末端部から被覆を所定の剥離長で剥離できる。そして、一対の把持腕を開くことで、電線から剥離された被覆を容易に回収できる。
【００１６】
（２）前記ストッパーは、前記第３切り欠き溝に対して、その軸方向にスライド自在に固定されていることが好ましい。
【００１７】
ストッパーは、第３切り欠き溝に対して、その軸方向にスライド自在に固定されているので、電線の被覆の切断長を可変することが容易である。
【００１８】
（３）前記ストッパーは、前記被覆の外周が滑動容易な滑動面を前記第１切り欠き溝の内壁に形成していることが好ましい。
【００１９】
ストッパーは、被覆の外周が滑動容易な滑動面を第１切り欠き溝の内壁に形成しているので、被覆が捩れることなく滑動できる。第２切り欠き溝の内壁も被覆の外周が滑動容易な滑動面で形成することが好ましい。
【００２０】
（４）前記係止手段は、外部から操作可能な係合ピンを備え、前記把持爪は、前記係合ピンの先端部が進入する窪みを当該把持爪の把持面と反対面に設けていることが好ましい。
【００２１】
係合ピンを引っ張ると、把持爪を凹部に挿入でき、係合ピンを解放すると、係合ピンの先端部が窪みに進入して、アダプタ本体を把持爪に確実に係止できる。
【００２２】
（５）一方の前記把持腕は、基端部が固定された固定腕からなり、他方の前記把持腕は、一方の前記把持腕の基端部に設けた回動軸を中心に回動する可動腕からなり、前記絶縁操作棒は、一方の前記把持腕を先端部に設けた長尺の操作棒と、前記操作棒に沿って配置され、先端部が他方の前記把持腕と回動可能に連結している作動棒と、を備えていることが好ましい。
【００２３】
操作棒の手許部に操作レバーを設けることが好ましく、操作レバーを操作すると、一方の把持腕に対して、他方の把持腕を開閉できる。
【発明の効果】
【００２４】
本発明は、絶縁操作棒などの間接活線工具の先端部に設けた一対の開閉する把持腕に取り付けできる間接活線工事用アダプタであって、電線から剥離された被覆を容易に回収でき、電線の被覆の切断長を可変することが容易な間接活線工事用アダプタを提供できる。
【図面の簡単な説明】
【００２５】
【図１】本発明の一実施形態による間接活線工事用アダプタの構成を示す縦面図であり、一対の把持腕に一組の間接活線工事用アダプタを取り付けた状態で、一対の把持腕を閉じた状態図である。
【図２】前記実施形態による間接活線工事用アダプタの構成を示す斜視分解組立図である。
【図３】前記実施形態による間接活線工事用アダプタの構成を示す図であり、図３（Ａ）は、一対の把持腕を閉じた状態における一組の間接活線工事用アダプタの平面図であり、図３（Ｂ）は、一対の把持腕を閉じた状態における一組の間接活線工事用アダプタの正面図である。
【図４】前記実施形態による間接活線工事用アダプタの構成を示す図であり、図４（Ａ）は、一方の間接活線工事用アダプタを底面側から観た斜視図、図４（Ｂ）は、一方の間接活線工事用アダプタの要部縦断面図、図４（Ｃ）は、一方の間接活線工事用アダプタの要部横断面図である。
【図５】本発明に係る絶縁操作棒の一例を示す正面図であり、図５（Ａ）は、絶縁操作棒の基端部側を示し、図５（Ｂ）は、絶縁操作棒の先端部側を示している。
【図６】図５に示した絶縁操作棒の先端部を拡大した正面図である。
【図７】前記実施形態による間接活線工事用アダプタの構成を示す正面図であり、一対の把持腕に一組の間接活線工事用アダプタを取り付けた状態で、一対の把持腕を所定角度に開いた状態図である。
【発明を実施するための形態】
【００２６】
以下、図面を参照して本発明を実施するための形態を説明する。
［間接活線工事用アダプタの構成］
最初に、本発明の一実施形態による間接活線工事用アダプタの構成を説明する。
【００２７】
図１は、本発明の一実施形態による間接活線工事用アダプタの構成を示す縦面図であり、一対の把持腕に一組の間接活線工事用アダプタを取り付けた状態で、一対の把持腕を閉じた状態図である。図２は、前記実施形態による間接活線工事用アダプタの構成を示す斜視分解組立図である。
【００２８】
図３は、前記実施形態による間接活線工事用アダプタの構成を示す図であり、図３（Ａ）は、一対の把持腕を閉じた状態における一組の間接活線工事用アダプタの平面図であり、図３（Ｂ）は、一対の把持腕を閉じた状態における一組の間接活線工事用アダプタの正面図である。
【００２９】
図４は、前記実施形態による間接活線工事用アダプタの構成を示す図であり、図４（Ａ）は、一方の間接活線工事用アダプタを底面側から観た斜視図、図４（Ｂ）は、一方の間接活線工事用アダプタの要部縦断面図、図４（Ｃ）は、一方の間接活線工事用アダプタの要部横断面図である。
【００３０】
（全体構成）
図１から図４を参照すると、本発明の一実施形態による間接活線工事用アダプタ（以下、アダプタと略称する）１０は、ブロック状のアダプタ本体１と係止手段２を備えている。一方のアダプタ本体１は、Ｌ字状の切断具３を備えている。他方のアダプタ本体１は、半円筒状のストッパー４を備えている。
【００３１】
図１を参照して、一組のアダプタ１０・１０を絶縁操作棒７０の先端部に設けた一対の開閉する湾曲した把持腕７ａ・７ｂに取り付け、絶縁操作棒７０を操作することで、電線Ｗの末端縁から被覆Ｗｉを所定の剥離長で剥離することができる。
【００３２】
（アダプタ本体の構成）
図１から図４を参照すると、アダプタ本体１は、絶縁操作棒７０の先端部に設けた一対の開閉する湾曲した把持腕７ａ・７ｂに取り付けことができる（図６参照）。又、アダプタ本体１は、一対の把持腕７ａ・７ｂを閉じた状態で、互いに対向して略密着可能に近接する対向面１０ａ・１０ａを有している（図２参照）。
【００３３】
図４を参照すると、アダプタ本体１は、凹部１１ｈを底面に開口している。凹部１１ｈには、一対の把持腕７ａ・７ｂから遠心方向に突出する把持爪７１ａ又は把持爪７１ｂを挿入できる（図１参照）。
【００３４】
図１又は図２を参照すると、一方のアダプタ本体１は、先端面に開口した凹部１２ｈを穿設している。凹部１２ｈには、切断具３の一片３１を着脱自在に挿入している。切断具３の一片３１は、一組のボルト部材５ａ・５ａで凹部１２ｈの内壁に固定している。
【００３５】
図１又は図２を参照すると、一方のアダプタ本体１は、半円弧状に開口した第２切り欠き溝１０ｂを対向面１０ａに形成している。第２切り欠き溝１０ｂには、電線Ｗの被覆Ｗｉを外周方向から導入できる。
【００３６】
図１又は図２を参照すると、他方のアダプタ本体１は、半円弧状に開口した第３切り欠き溝１０ｃを対向面１０ａに形成している。第３切り欠き溝１０ｃには、ストッパー４を外周方向から導入できる。
【００３７】
図１又は図２を参照すると、ストッパー４は、他方のアダプタ本体１に着脱自在に固定されている。ストッパー４は、半円弧状に開口した第１切り欠き溝４１を形成している。第１切り欠き溝４１には、電線Ｗの被覆Ｗｉを外周方向から導入できる。一対の把持腕７ａ・７ｂを閉じた状態では、第１切り欠き溝４１と第２切り欠き溝１０ｂで電線Ｗの被覆Ｗｉを挟持しできる。
【００３８】
（係止手段の構成）
図４を参照すると、係止手段２は、係合ピン２１と圧縮コイルばね２２を備えている。係合ピン２１は、軸部２１ｓと鍔部２１ｆで構成している。軸部２１ｓは、アダプタ本体１の外壁から突出した円筒部２ｐの内部に収容されている。軸部２１ｓは、その先端部が凹部１１ｈの内部に突出している（図４（Ｂ）参照）。鍔部２１ｆは、円筒部２ｐの上端縁に当接している。
【００３９】
図４（Ｂ）を参照すると、圧縮コイルばね２２は、軸部２１ｓの外周を巻回している。又、圧縮コイルばね２２は、円筒部２ｐの内部に収容されている。圧縮コイルばね２２の一端部は、軸部２１ｓに固定されている。圧縮コイルばね２２の他端部は、円筒部２ｐの内壁に固定されている。そして、圧縮コイルばね２２は、軸部２１ｓの先端部が凹部１１ｈの内部に突出する力を付勢している。
【００４０】
図４（Ａ）又は図４（Ｂ）を参照して、鍔部２１ｆを把持して、圧縮コイルばね２２の弾性力に抗して、係合ピン２１を引き上げると、把持爪７１ａ又は把持爪７１ｂを凹部１１ｈに収容できる（図１参照）。そして、鍔部２１ｆを解放すると、把持爪７１ａ又は把持爪７１ｂの把持面と反対面から把持爪７１ａ又は把持爪７１ｂに係合ピン２１の先端部を当接できる。把持爪７１ａ又は把持爪７１ｂには、係合ピン２１の先端部が進入する窪み７ｄを設けることが好ましい（図１参照）。
【００４１】
図４（Ｂ）又は図４（Ｃ）を参照すると、軸部２１ｓは、遠心方向に係止ピン２１ｐを突出している。一方、円筒部２ｐの内部には、係止ピン２１ｐを軸部２１ｓの軸方向に案内するスリット状の溝２１ｍを設けている。
【００４２】
図４（Ｂ）又は図４（Ｃ）を参照して、鍔部２１ｆを把持して、係合ピン２１を引き上げると、係止ピン２１ｐを円筒部２ｐの上端縁を超える高さに移動できる。そして、係合ピン２１を外周方向に回動すると、係止ピン２１ｐを円筒部２ｐの上端縁に当接できる。これにより、係合ピン２１を引き上げた状態を維持でき、把持爪７１ａ又は把持爪７１ｂを凹部１１ｈに収容した後に、係合ピン２１を逆方向に回動することで、アダプタ本体１を把持爪７１ａ又は把持爪７１ｂに固定できる。
【００４３】
（切断具の構成）
図１から図３を参照すると、切断具３は、帯状の金属板を略直角に折り曲げてＬ字状に形成している。切断具３の一片３１は、凹部１２ｈに収容されている。又、切断具３の一片３１は、凹部１２ｈの内壁に固定されている。
【００４４】
図１から図３を参照すると、切断具３の他片３２は、他方のアダプタ本体１に向かって延出するように配置されている。又、切断具３の他片３２は、先端縁を鋭角に形成した刃先３２ａを先端部に形成している。
【００４５】
図１又は図３（Ａ）を参照すると、切断具３の刃先３２ａは、第２切り欠き溝１０ｂの内部に延出するように配置されている。そして、図１に示すように、一対の把持腕７ａ・７ｂを閉じると、電線Ｗの被覆Ｗｉに外周方向から刃先３２ａで切り込むことができる。
【００４６】
（ストッパーの構成）
図１又は図２を参照すると、ストッパー４は、他方のアダプタ本体１に着脱自在に固定している。又、ストッパー４は、第１切り欠き溝４１の端部に底部４１ａを形成している。底部４１ａには、電線Ｗの末端縁を当接できる。底部４１ａの一部は、第２切り欠き溝１０ｂに向かって半円状に突出している。
【００４７】
図２を参照すると、ストッパー４は、二つの雌ねじ部４１ｓ・４１ｓを外周に形成している。一方、他方のアダプタ本体１は、雌ねじ部４１ｓに螺合できる一組のボルト部材５ｂ・５ｂを備えている。図１又は図２を参照すると、他方のアダプタ本体１は、第３切り欠き溝１０ｃの軸方向に延びる長穴１３ｈを形成している。長穴１３ｈは、他方のアダプタ本体１の外壁から第３切り欠き溝１０ｃに向けて貫通している。
【００４８】
図１又は図２を参照して、一組のボルト部材５ｂ・５ｂを長穴１３ｈに挿通して、ボルト部材５ｂを雌ねじ部４１ｓに緩やかに締結した状態では、第３切り欠き溝１０ｃに対して、ストッパー４をスライド自在に移動できる。他方のアダプタ本体１に対して、底部４１ａが所定の位置に移動したときに、ボルト部材５ｂを雌ねじ部４１ｓに緊締することで、ストッパー４を他方のアダプタ本体１に固定できる。これにより、電線Ｗの末端縁から刃先３２ａまで距離が調整され、被覆Ｗｉの剥離長を規定できる。
【００４９】
図１又は図２を参照すると、ストッパー４は、被覆Ｗｉの外周が滑動容易な滑動面４１ｂを第１切り欠き溝４１の内壁に形成している。後述するように、第１切り欠き溝４１と第２切り欠き溝１０ｂで被覆Ｗｉを挟持し、絶縁操作棒７０をその軸回りに３６０度回転したときに、被覆Ｗｉが捩れることなく滑動できる。第２切り欠き溝１０ｂの内壁も被覆Ｗｉの外周が滑動容易な滑動面で形成することが好ましい。
【００５０】
（絶縁操作棒の構成）
次に、本発明に係る絶縁操作棒の構成を説明する。図５は、本発明に係る絶縁操作棒の一例を示す正面図であり、図５（Ａ）は、絶縁操作棒の基端部側を示し、図５（Ｂ）は、絶縁操作棒の先端部側を示している。図６は、図５に示した絶縁操作棒の先端部を拡大した正面図である。
【００５１】
図５又は図６を参照すると、間接活線工具となる絶縁操作棒（いわゆる、絶縁ヤットコ）７０は、長尺の操作棒７１と把持工具７２で構成している。把持工具７２は、操作棒７１の先端部に着脱自在に取り付けられている。又、絶縁操作棒７０は、作動棒７３を備えている。絶縁操作棒７０は、操作棒７１及び作動棒７３の中間部が絶縁性を有するプラスチックパイプなどで連結され、間接活線工法に好適なように、絶縁性を確保している。
【００５２】
図５又は図６を参照すると、把持工具７２は、開閉する一対の湾曲した把持腕７ａ・７ｂで構成している。そして、一方の把持腕７ａは、基端部が固定された固定腕であり、他方の把持腕７ｂは、一方の把持腕７ａの基端部に設けた回動軸７ｃを中心に回動する可動腕となっている。
【００５３】
図５又は図６を参照すると、作動棒７３は、操作棒７１に沿って保持されている。作動棒７３の先端部は、他方の把持腕７ｂに回動可能に連結している。そして、作動棒７３の手許部に設けた操作レバー７４を操作すると、一方の把持腕７ａに対して、他方の把持腕７ｂを開閉できる。
【００５４】
図５を参照して、操作レバー７４を握って、操作レバー７４を操作棒７１に近づけると、一方の把持腕７ａに対して、他方の把持腕７ｂを閉じることができる。操作レバー７４を解放すると、操作レバー７４に連結したばね（図示せず）の力で、一方の把持腕７ａに対して、他方の把持腕７ｂを開くことができる。図５又は図６は、一方の把持腕７ａに対して、他方の把持腕７ｂが最大に開いた状態を示している。
【００５５】
図６を参照して、一方の把持腕７ａは、先細り状の把持爪７１ａを突出している。把持爪７１ａは、把持面７０ａを形成している。把持面７０ａは、操作棒７１の軸中心Ｑと略平行に配置されている。同様に、他方の把持腕７ｂは、先細り状の把持爪７１ｂを突出している。把持爪７１ｂは、把持面７０ｂを形成している。把持面７０ｂは、把持面７０ａと所定の開角を設けて配置されている。図５又は図６を参照して、操作レバー７４を握ると、把持面７０ｂを把持面７０ａに近づけることができる。
【００５６】
［間接活線工事用アダプタの作用］
次に、実施形態によるアダプタ１０の操作方法を説明しながら、アダプタ１０の作用及び効果を説明する。図７は、前記実施形態による間接活線工事用アダプタの構成を示す正面図であり、一対の把持腕に一組の間接活線工事用アダプタを取り付けた状態で、一対の把持腕を所定角度に開いた状態図である。
【００５７】
図１から図４を参照すると、アダプタ１０は、把持爪７１ａ又は把持爪７１ｂを凹部１１ｈに挿入し（図４参照）、係合ピン２１で固定できる。一組のアダプタ１０・１０は、対向する第１切り欠き溝４１と第２切り欠き溝１０ｂの間に電線Ｗを配置できる。一方のアダプタ本体１の先端部に切断具３の他片３２を配置しておくことで、電線Ｗの被覆Ｗｉに外周方向から刃先３２ａで切り込むことができる（図１参照）。
【００５８】
図７に示した状態から、絶縁操作棒７０を持ち上げ、操作レバー７４を握って、操作レバー７４を操作棒７１に近づけると（図５参照）、一方のアダプタ１０に対して、他方のアダプタ１０を閉じることができる（図１参照）。
【００５９】
図７を参照して、操作レバー７４を操作して、一対の対向面１０ａ・１０ａが比較的近づいた状態で、電線Ｗの末端縁に向かって、絶縁操作棒７０を持ち上げると、第１切り欠き溝４１と第２切り欠き溝１０ｂの間に電線Ｗを導入できると共に、電線Ｗの末端縁を底部４１ａに当接できる。次に、一対の対向面１０ａ・１０ａが密着するように近接することで、第１切り欠き溝４１と第２切り欠き溝１０ｂで電線Ｗを挟持でき（図２参照）、電線Ｗの被覆Ｗｉに外周方向から刃先３２ａで切り込むことができる（図１参照）。
【００６０】
次に、図１又は図６を参照して、一対のアダプタ１０・１０が閉じた状態を維持しながら、絶縁操作棒７０をその軸回りに３６０度回転することで、切断具３の刃先３２ａで被覆Ｗｉの全周を切断できる。次に、一対の把持腕７ａ・７ｂを閉じた状態で、絶縁操作棒７０を引き下げることで、電線Ｗの末端部から被覆Ｗｉを所定の剥離長で剥離できる。そして、一対の把持腕７ａ・７ｂを開くことで、電線Ｗから剥離された被覆Ｗｉを容易に回収できる。
【００６１】
このように、実施形態によるアダプタ１０は、絶縁操作棒７０などの間接活線工具の先端部に設けた一対の開閉する把持腕７ａ・７ｂに取り付けできる間接活線工事用アダプタであって、電線Ｗから剥離された被覆Ｗｉを容易に回収できる。
【００６２】
又、実施形態によるアダプタ１０は、第３切り欠き溝１０ｃに対して、ストッパー４がその軸方向にスライド自在に固定されているので、電線Ｗの被覆Ｗｉの切断長を可変することが容易である。
【００６３】
本発明による間接活線工事用アダプタは、次のような効果が奏される。
（１）電線の被覆を容易に剥離できる。
（２）電線の被覆を確実に剥離できる。
（３）構造が簡易であり、安価な間接活線工事用工具を提供できる。
【００６４】
本発明は、絶縁操作棒などを用いて、無停電状態の高圧配電線を間接的に活線工事できる間接活線工事用アダプタを開示したが、本発明のアダプタは、間接活線工事用に限定されることなく、他の分野でも応用されることが期待される。
【符号の説明】
【００６５】
１  アダプタ本体
２  係止手段
３  切断具
４  ストッパー
７ａ・７ｂ  一対の把持腕
１０  アダプタ（間接活線工事用アダプタ）
１０ａ  対向面
１０ｂ  第２切り欠き溝
１０ｃ  第３切り欠き溝
１１ｈ  凹部（アダプタ本体の凹部）
３１  一片
３２  他片
３２ａ  刃先
４１  第１切り欠き溝
４１ａ  底部
７０  絶縁操作棒
Ｗ  電線
Ｗｉ  被覆
【図１】
0005897626.tif 000002
【図２】
0005897626.tif 000003
【図３】
0005897626.tif 000004
【図４】
0005897626.tif 000005
【図５】
0005897626.tif 000006
【図６】
0005897626.tif 000007
【図７】
0005897626.tif 000008